(57)【要約】【課題】防音性に優れた間仕切り装置を得る。【解決手段】間仕切り装置１０は、間隔を開けて配置される複数の柱１２と、一方の柱１２と他方の柱１２の上部相互、及び下部相互を固定する上部固定梁１４、及び下部固定梁１６と、一方の柱１２と他方の柱１２との間、及び上部固定梁１４と下部固定梁１６との間に配置される壁材１８と、下部固定梁１６の下縁、及び柱１２の下端に取付けられた防音材３２とを有する。【選択図】図１
2019044430.tif 000002
【特許請求の範囲】
【請求項１】
間隔を開けて配置される複数の柱と、
一方の前記柱と他方の前記柱の上部相互、及び下部相互を固定する上部固定梁、及び下部固定梁と、
一方の前記柱と他方の前記柱との間、及び上部固定梁と下部固定梁との間に配置される壁材と、
前記下部固定梁の下縁、及び前記柱の下端に取付けられた防音材と、
を有する間仕切り装置。
【請求項２】
前記下部固定梁の下縁、及び前記柱の下端には、前記防音材の上面に設けた突条が圧入される溝が形成されている、請求項１に記載の間仕切り装置。
【請求項３】
前記防音材は弾性体で形成され、前記下部固定梁と床面との間、及び前記柱と前記床面との間で圧縮されて前記床面に密着する、請求項１または請求項２に記載の間仕切り装置。
【請求項４】
前記柱の側部には、水平方向の８方向に、前記上部固定梁、前記下部固定梁、及び前記壁材を固定する固定部が設けられている、請求項１〜請求項３の何れか１項に記載の間仕切り装置。
【発明の詳細な説明】
【技術分野】
【０００１】
本発明は、部屋の中を仕切る間仕切り装置に関する。
【背景技術】
【０００２】
例えば、展示会場等では、部屋の中を仕切るために、間仕切り装置を用いている（例えば、特許文献１参照）。
【先行技術文献】
【特許文献】
【０００３】
【特許文献１】特開２０１３−６４２８８号公報
【発明の概要】
【発明が解決しようとする課題】
【０００４】
しかしながら、特開２０１３−６４２８８号公報に記載の間仕切り措置では、壁部と床面との間に隙間が形成されてしまい、この隙間を介して音が外部に漏れる、または外部の音が内部に進入するという問題があり、防音性に関して改善の余地があった。
【０００５】
本発明は上記事実を考慮し、防音性に優れた間仕切り装置の提供を目的とする。
【課題を解決するための手段】
【０００６】
請求項１に記載の間仕切り装置は、間隔を開けて配置される複数の柱と、一方の前記柱と他方の前記柱の上部相互、及び下部相互を固定する上部固定梁、及び下部固定梁と、一方の前記柱と他方の前記柱との間、及び上部固定梁と下部固定梁との間に配置される壁材と、前記下部固定梁の下縁、及び前記柱の下端に取付けられた防音材と、を有する。
【０００７】
請求項１に記載の間仕切り装置によれば、下部固定梁の下縁、及び柱の下端に取り付けられた防音材が、間仕切り装置と床面との間に音が通過する隙間を形成しないので、例えば、間仕切り装置を用いて部屋を仕切った場合において、間仕切り装置の一方側の音が間仕切り装置の下側を介して他方側へ伝達したり、他方側の音が間仕切り装置の下側を介して一方側へ伝達することを阻止することが可能となる。
【０００８】
請求項２に記載の発明は、請求項１に記載の間仕切り装置において、前記下部固定梁の下縁、及び前記柱の下端には、前記防音材の上面に設けた突条が圧入される溝が形成されている。
【０００９】
請求項２に記載の間仕切り装置では、防音材の突条を下部固定梁の下縁に形成された溝に圧入することで、防音材を接着剤等を用いることなく下部固定梁の下縁に簡単に取り付けることができる。同様に、防音材の突条を柱の下端に形成された溝に圧入することで、防音材を接着剤等を用いることなく柱の下端に簡単に取り付けることができる。
【００１０】
請求項３に記載の発明は、請求項１または請求項２に記載の間仕切り装置において、前記防音材は弾性体で形成され、前記下部固定梁と前記床面との間、及び前記柱と前記床面との間で圧縮されて前記床面に密着する。
【００１１】
請求項３に記載の間仕切り装置では、防音材を弾性体で形成し、下部固定梁と床面との間、及び柱と床面との間で圧縮されて床面に密着するようにしたので、床面に多少の凹凸があったとしても、音が通過する隙間が生じないようにできる。
【００１２】
請求項４に記載の発明は、請求項１〜請求項３の何れか１項に記載の間仕切り装置において、前記柱の側部には、水平方向の８方向に、前記上部固定梁、前記下部固定梁、及び前記壁材を固定する固定部が設けられている。
【００１３】
請求項４に記載の間仕切り装置では、柱の側部に、水平方向の８方向に、上部固定梁、下部固定梁、及び壁材を固定する固定部が設けられているので、上方から見て、上部固定梁、下部固定梁、及び壁材の柱に対する取り付け角度を４５度単位で変更することが可能となる。
【発明の効果】
【００１４】
以上説明したように本発明の間仕切り装置は上記構成としたので、防音性に優れるものとなる。
【図面の簡単な説明】
【００１５】
【図１】本発明の実施形態に係る間仕切り装置を示す斜視図である。
【図２】間仕切り装置の正面図である。
【図３】間仕切り装置の水平断面図（図２の３−３線断面図）である。
【図４】（Ａ）は壁材の一部を断面にした斜視図であり、（Ｂ）は壁材の正面図である。
【図５】接続前の柱、下部固定梁、及び防音材の一部を示す分解斜視図である。
【図６】（Ａ）〜（Ｃ）は、柱と壁材との接続手順を示す説明図である。
【図７】（Ａ）は間仕切りの縦断面図（図１の７−７線断面図）であり（Ｂ）は、柱の下部を示す側面図である。
【図８】本実施形態の間仕切り装置を用いて構成したブースの一例を示す斜視図である。
【発明を実施するための形態】
【００１６】
図１〜図８を用いて、本発明の一実施形態に係る間仕切り装置１０について説明する。
図１〜図３に示すように、本実施形態の間仕切り装置１０は、複数の柱１２、一方の柱１２と他方の柱１２の上部同士を相互に連結する上部固定梁１４、一方の柱１２と他方の柱１２の下部同士を相互に連結する下部固定梁１６、一対の柱１２と上部固定梁１４と下部固定梁１６との間に配置される壁材１８とを含んで構成されている。
【００１７】
図４に示すように、本発明の壁材の一例としての壁材１８は、防炎合板２０の両面に、鉛シート２２を貼り付け、鉛シート２２の表面に化粧シート２４を貼り付けたものである。なお、壁材１８の両面において、その周囲には、鉛シート２２、及び化粧シート２４の貼り付けられていない枠状の挿入部分２６が設けられている。なお、壁材１８は、防音性に優れているものであれば、他の部材で構成されていてもよい。
【００１８】
柱１２は、一例として、アルミニユーム合金等からなる押出し材で構成されており、図３に示すように、長手方向直角断面で見ると、外形が８角形を呈している。この柱１２の側面には８角形の各辺に溝２８が形成されており、この溝２８に壁材１８の挿入部分２６が挿入されている。
【００１９】
下部固定梁１６は、アルミニユーム合金等からなる押出し材で構成されており、図５に示すように、長手方向直角断面で見ると、外形が縦長の長方形を呈している。この下部固定梁１６の長方形の短辺には、溝３０が形成されている。この溝３０には、壁材１８の挿入部分２６、及び後述する防音材３２の突条３２Ｂが挿入可能となっている。また、下部固定梁１６の長方形の長辺であって、柱１２付近の中央には、後述するキャッチ３４が挿入される長方形断面のキャッチ挿入孔３６が形成されている。
【００２０】
図６（Ａ）に示すように、下部固定梁１６のキャッチ挿入孔３６には、下部固定梁１６を柱１２に固定するためのキャッチ３４が取付けられている。キャッチ３４の端部には、一対の爪３８が突出しており、図６（Ｂ）に示すように、キャッチ３４の側部に設けられた操作軸４０の操作穴（例えば６角）４２にレンチ４４を差し込んで操作軸４０を回転させると、図６（Ｃ）に示すように、一対の爪３８が回転して爪３８の先端が溝２８の奥の柱１２の内面に引っ掛かり、これによって下部固定梁１６が柱１２に固定されるようになっている。
【００２１】
なお、上部固定梁１４も下部固定梁１６と同様の構成であり、上部固定梁１４も下部固定梁１６と同様にキャッチ３４を用いて柱１２に固定される。
【００２２】
図７（Ａ），（Ｂ）に示すように、下部固定梁１６の床面側の溝３０、及び柱１２の下端の溝３１には、防音材３２の突条３２Ｂが挿入されている。防音材３２は、床面４６と平行とされた防音部３２Ａと、溝３０、及び溝３１に挿入される突条３２Ｂとが一体形成された断面Ｔ字形状を呈している。
【００２３】
突条３２Ｂは、その幅を溝３０、及び溝３１の幅よりも若干大き目に設定し、溝３０、及び溝３１に圧入するようにしてもよい。これにより、接着剤を用いることなく、防音材３２を、下部固定梁１６、及び柱１２に固定することができる。なお、防音材３２は、下部固定梁１６、及び柱１２に接着剤で接着してもよい。防音材３２は、一例として、シリコンゴム等の弾性体で形成することができる。
【００２４】
以上のように柱１２同士を上部固定梁１４と下部固定梁１６とで連結すると共に、柱１２と上部固定梁１４と下部固定梁１６とで形成される枠状部分の内側に壁材１８を配置し、これらを複数連結することで、間仕切り装置１０が組み立てられる。なお、間仕切り装置１０を床面４６に設置することで、下部固定梁１６、及び柱１２に取り付けられた防音材３２は、間仕切り装置１０の重量を受けて床面４６との間で圧縮され、床面４６に密着する。
【００２５】
（作用、効果）
次に、本実施形態の間仕切り装置１０の作用、及び効果を説明する。
本実施形態の間仕切り装置１０では、下部固定梁１６、及び柱１２に取り付けられた防音材３２が、間仕切り装置１０の重量を受けて床面４６との間で圧縮されて床面４６に密着し、間仕切り装置１０と床面４６との間に音が通過する隙間を形成しないので、例えば、展示会場等で部屋を仕切った場合において、間仕切り装置１０の一方側の音が間仕切り装置１０の下側を介して他方側へ伝達したり、他方側の音、特に足音が間仕切り装置１０の下側を介して一方側へ伝達することを効果的に阻止することが可能となる。これにより、間仕切り装置１０で仕切った部屋においては、他方側からの音の進入が抑制され、静かな環境で快適に展示品等の観賞を行うことが可能となる。
【００２６】
また、防音材３２は、弾性体で形成されて圧縮変形するので、床面４６に多少の凹凸があったとしても、音が通過する隙間が生じないように防音材３２を床面４６に対して確実に密着させることができ、防音性を高めることができる。
【００２７】
図８には、本実施形態の間仕切り装置１０で構成した展示会のブース４８の一例が示されている。この例では、一部の柱１２と柱１２との間に、ドアユニット５０を取り付けている。本実施形態のブース４８のコーナー部分においては、壁材１８と壁材１８とが９０度の角度で配置されており、さらに、コーナー部分の一方の柱１２の上部と他方の柱１２の上部とが、壁材１８に対して４５度の角度で配置された上部固定梁１４によって連結され、４５度の角度で配置された上部固定梁１４が補強用の筋交いとして用いられている。これにより、ブース４８の壁面の強度を保つことが可能となり、従来の仮設パーテーションのような天井への支柱を必要としない構造とすることができる。
【００２８】
［その他の実施形態］
以上、本発明の一実施形態について説明したが、本発明は、上記に限定されるものでなく、上記以外にも、その主旨を逸脱しない範囲内において種々変形して実施可能であることは勿論である。
【００２９】
上記実施形態では、間仕切り装置１０と床面４６との間の隙間を防音材３２で塞いだが、上部固定梁１４の上縁、及び柱１２の上端に防音材３２を取り付け、間仕切り装置１０と天井との間の隙間を塞いでもよい。
【符号の説明】
【００３０】
１０    間仕切り装置
１２    柱
１４    下部固定梁
１６    上部固定梁
１８    壁材
２８    溝（固定部）
３０    溝
３１    溝
３２    防音材
３２Ｂ  突条
【図１】
2019044430.tif 000003
【図２】
2019044430.tif 000004
【図３】
2019044430.tif 000005
【図４】
2019044430.tif 000006
【図５】
2019044430.tif 000007
【図６】
2019044430.tif 000008
【図７】
2019044430.tif 000009
【図８】
2019044430.tif 000010